(57)【特許請求の範囲】
【請求項１】
液筒部と、
前記液筒部の先端に固定される注射針と、
前記注射針を少なくとも径方向へ振動させる加振部と、
前記加振部を支持して前記液筒部の軸方向所定領域に着脱自在に支持されるホルダとを備え、
前記加振部は、直接又は他の部材を通じて前記注射針又は前記液筒部の外周面に着脱自在に当接して前記注射針を径方向へ振動させることを特徴とする注射器。
【請求項２】
請求項１記載の注射器において、
前記液筒部は、樹脂製で径方向へ弾性変形可能に形成され、前記加振部は、前記液筒部と前記ホルダとの結合部よりも軸方向へ所定距離離れた位置にて前記液筒部の外周面全周の一部に直接又は所定の介在部材を介して当接して前記液筒部を少なくとも径方向へ振動させることを特徴とする注射器。
【請求項３】
請求項１記載の注射器において、
前記ホルダは、前記液筒部に径方向へ着脱されることを特徴とする注射器。
【請求項４】
請求項３記載の注射器において、
前記ホルダは、前記加振部の振動方向を含む平面にて前記液筒部に対して相対変位略不能に支持されることを特徴とする注射器。
【請求項５】
請求項３記載の注射器において、
前記液筒部は、前記ホルダに装着される際に前記加振部をその振動方向に圧縮する向きに弾性変形し、
前記加振部は前記液筒部を周期的に押圧する動作を行うことを特徴とする注射器。
【請求項６】
請求項３記載の注射器において、
前記ホルダは、前記液筒部と前記加振部との間の結合部よりも前記液筒部の基端側に位置して前記液筒部を支持することを特徴とする注射器。
【請求項７】
請求項６記載の注射器において、
前記ホルダは、前記液筒部の後端径大部に達することを特徴とする注射器。
【請求項８】
請求項７記載の注射器において、
前記ホルダの後端部は、指により挟持されることを特徴とする注射器。
【請求項９】
請求項３記載の注射器において、
前記ホルダは、前記液筒部が径方向へ嵌合可能な凹部をもつことを特徴とする注射器。
【請求項１０】
請求項９記載の注射器において、
前記凹部の開口方向は、前記加振部の振動方向と略直角とされることを特徴とする注射器。
【請求項１１】
請求項３記載の注射器において、
前記ホルダは、前記加振部を駆動する駆動回路と、前記駆動回路に給電する電池とを有することを特徴とする注射器。
【請求項１２】
請求項１１記載の注射器において、
前記ホルダは、前記注射器挟持用の指が入る孔部を有することを特徴とする注射器。
【請求項１３】
請求項３記載の注射器において、
前記加振部は、一振動面が少なくとも電極部を介して前記液筒部の外周面の周方向全周の一部に接して前記液筒部を略径方向へ振動させる振動子を有し、
前記ホルダは、前記振動子の他振動面を少なくとも電極部を介して支持し、
前記振動子は、共振周波数より低い周波数の交番電圧を印加されることを特徴とする注射器。
【請求項１４】
請求項３記載の注射器において、
前記加振部は、前記ホルダに支持されるソレノイドからなり、
前記ソレノイドは、前記液筒部の外周面全周の一部に接して前記液筒部を略径方向へ振動させるプランジャを有することを特徴とする注射器。
【請求項１５】
請求項３記載の注射器において、
前記加振部は、
前記ホルダに固定されたモ−タと、
前記モ−タの回転軸に駆動されて前記液筒部の外周面を前記液筒部の略径方向へ周期的に付勢するカム機構と、
を有することを特徴とする注射器。
【請求項１６】
請求項１５記載の注射器において、
前記カム機構は、前記モ−タの軸心との距離が一定でない外周形状を有して前記モータの回転軸に固定され、外周面が前記液筒部の外周面に当接するカムからなり、
前記液筒部は、前記カムの外周面の径大部分が当接する際に前記液筒部を前記液筒部の径方向へ弾性変形させることを特徴とする注射器。
【請求項１７】
請求項１５記載の注射器において、
前記モ−タは、前記液筒部の軸心に対して斜めに配置された軸心をもつことを特徴とする注射器。
【請求項１８】
請求項１記載の注射器において、
前記加振部は、注射針の外周面に当接して前記液筒部を少なくとも径方向へ振動させることを特徴とする注射器。
【請求項１９】
請求項１８記載の注射器において、
前記ホルダは、前記液筒部に径方向へ着脱されることを特徴とする注射器。
【請求項２０】
請求項１９記載の注射器において、
前記ホルダは、前記注射針の振動方向を含む平面と略直角方向一方側へ開口して前記液筒部が嵌合可能な凹部をもつことを特徴とする注射器。
【請求項２１】
請求項２０記載の注射器において、
前記凹部の開口方向は、前記注射針の振動方向と略直角とされることを特徴とする注射器。
【請求項２２】
請求項１８記載の注射器において、
前記加振部は、
前記ホルダにより前記注射器の液筒部に保持される振動部と、
基端部が前記振動部に、先端部が前記注射針に係合する伝達部とを備え、
前記振動部は、前記液筒部の基端寄りに前記ホルダに固定されることを特徴とする注射器。
【請求項２３】
請求項２２記載の注射器において、
前記伝達部は、
前記ホルダに前記液筒部の径方向と略平行に揺動自在に支持されて、一端部が前記注射針を径方向加振可能に前記注射針に当接する揺動部と、
前記液筒部の軸方向と略平行に延設され、基端部が前記振動部により前記液筒部の軸方向と略平行に加振され、
先端が前記揺動部を揺動させる軸部と、
前記軸部の前記基端部を前記振動部に弾性付勢する付勢部と、
を備えることを特徴とする注射器。
【請求項２４】
請求項２３記載の注射器において、
前記付勢部は、前記軸部に巻装されることを特徴とする注射器。
【請求項２５】
前記ホルダは、前記液筒部が径方向へ嵌合可能な凹部をもち、前記凹部の開口方向は、前記加振部の振動方向と略直角とされることを特徴とする請求項１９項記載の注射器。
【請求項２６】
請求項２５記載の注射器において、
前記伝達部は、前記注射針が径方向へ嵌入可能な凹部をもつことを特徴とする注射器。
【請求項２７】
請求項２６記載の注射器において、
前記両凹部は、同一方向へ開口することを特徴とする注射器。
【請求項２８】
請求項２５記載の注射器において、
前記ホルダは、前記液筒部の外周面を包む略Ｃ字状の弾性部をもつことを特徴とする注射器。
【請求項２９】
請求項１８記載の注射器において、
前記ホルダは、
前記加振部を駆動する駆動回路と、前記駆動回路に給電する電池とを有することを特徴とする注射器。
【請求項３０】
請求項２９記載の注射器において、
前記ホルダは、前記注射器挟持用の指が入る孔部を有することを特徴とする注射器。
【請求項３１】
請求項２３記載の注射器において、
前記振動部は、前記ホルダに支持される振動子を有することを特徴とする注射器。
【請求項３２】
請求項３１記載の注射器において、
前記振動子は、前記液筒部の軸方向と略平行に振動することを特徴とする注射器。
【請求項３３】
請求項２３記載の注射器において、
前記振動部は、前記ホルダに支持されるソレノイドを有することを特徴とする注射器。
【請求項３４】
請求項３３記載の注射器において、
前記ソレノイドは、前記液筒部の軸方向に振動するプランジャを有することを特徴とする注射器。
【請求項３５】
請求項２３記載の注射器において、
前記振動部は、
前記ホルダに固定されたモ−タと、前記モータの回転軸に固定されて前記伝達部を振動させるカム機構とを有することを特徴とする注射器。
【請求項３６】
請求項３５記載の注射器において、
前記モ−タは、軸心が前記液筒部の軸方向と略直角方向に延設される回転軸を有し、
前記カム機構は、前記回転軸に固定されたカムを有することを特徴とする注射器。
【請求項３７】
請求項１記載の注射器において、
前記加振部は、直接又は前記ホルダを通じて前記液筒部をその径方向に振動させる振動モータからなることを特徴とする注射器。
【請求項３８】
注射針と、
前記注射針の基端部に固定された板状の把持部と、
前記把持部に密着されて前記注射針の基端に連通するチュ−ブと、
前記把持部に密着して前記注射針を直接又は前記把持部を通じて径方向へ振動させる加振部と、
を備えることを特徴とする点滴器。
【請求項３９】
請求項３８記載の点滴器において、
前記加振部を支持して前記把持部に着脱自在に固定されるホルダを有することを特徴とする点滴器。
【請求項４０】
請求項３９記載の点滴器において、
前記加振部は、前記注射針を前記把持部の略厚さ方向に振動させる振動体を有することを特徴とする点滴器。
【請求項４１】
請求項３９記載の点滴器において、
前記加振部は、前記注射針が嵌入する凹部を有し、前記凹部は前記注射針の振動方向と略直角方向へ開口することを特徴とする点滴器。
【請求項４２】
請求項３９記載の点滴器において、
前記ホルダに収容される電池及び前記加振部駆動用の駆動部と、
を有することを特徴とする点滴器。
【発明の詳細な説明】
【０００１】
【発明の属する技術分野】
本発明は、刺針時の痛みを低減可能な注射器及び点滴器に関する。
【０００２】
【従来の技術】
注射針を皮膚に刺して薬液や栄養液の注射や体液の採取を行う場合、強い痛みを伴う。これは、注射針径が大きい場合、特に顕著で、子供に限らず全ての病人、怪我人にとって大きな苦痛となっている。この問題を改善するために、特開昭６１ー３７１７０号公報は、注射針に径方向へ超音波振動を与えつつ注射を行うことを提案している。また、特開平９ー２３９０３１号公報は、リング状超音波振動子を注射針又はその筒部（この明細書では液筒部ともいう）に装着し、注射針をその軸方向に超音波振動させつつ注射を行うことを提案している。また、注射針の表面に摩擦係数が小さいシリコン膜をコ−ティングして注射時の痛みを減らすことも提案されている。
【０００３】
【発明が解決しようとする課題】
しかしながら、本発明者の種々の実験の結果、上記した両公報の超音波注射方式は、それぞれ特有の問題を有し、このため実用化が困難であることがわかった。
【０００４】
まず、前者の公報の技術では、超音波振動子と注射器とが別々であり、このため、注射を行う者は片手で注射器を操作し、他の片手で超音波振動子から伸びるホ−ンの先端を注射針に当接せねばならず、極めて使い勝手が悪いという問題があった。たとえば看護婦は注射器を持たない自由な手で患者の腕や体が動かないように把持しつつ注射を行うことがしばしばあるが、前者の公報の方式ではそれが不可能となってしまう。また、両手を操作するために、注射器への神経集中が分散してしまい、操作を誤る危険もあった。
【０００５】
また、後者の公報の方式によれば、その軸方向に伸縮するリング状超音波振動子を筒部と注射針との間、又は、筒部に一体に介設することにより、液又はロッドが内部の孔を軸方向に移動可能としつつ筒部の先端及び注射針を軸方向に振動させるが、通常、注射器は使い捨てであるために安価に製造される必要が有り、コストの点で実用化が困難であった。
【０００６】
更に詳しく説明すれば、注射針を液筒部にリング状超音波振動子を設けて、液筒部の先端部を基端部に対して相対的に軸方向へ振動させる場合、リング状超音波振動子は、液筒部内の薬液やそれを押し込むロッドが移動する中央孔をもつ必要があり、このためリング形状をもつ必要がある。この従来のリング型注射器加振部は、内部を少なくとも薬液（更にはロッドが）の貫通を保証しつつ液筒部の先端部を軸方向へ加振せねばならず、薬液のシ−ルドを確保しつつ、加振部と液筒部とを結合することが容易でない。また、液筒部内の薬液残量を視認することも容易ではない。
【０００７】
なお、後者の公報の技術において、筒部を軸方向弾性変形可能とし、軸方向に伸縮するリング状超音波振動子をこの筒部に嵌着し、超音波振動子の振動により筒部の先端を軸方向に振動させるようにすれば注射器の使い捨てが可能となる。しかし、この場合、筒部粒の基端には指が掛かる径大部が存在するために、リング状超音波振動子を注射針の先端側から注射器の筒部まで挿通する必要が有り、その際、このリング状超音波振動子をもつ指に誤って注射針が刺さる危険が生じるという問題があった。
【０００８】
本発明は、上記問題点に鑑みなされたものであり、使い勝手の悪化を抑止しつつ注射時の痛みを低減することをその解決すべき課題としている。
【０００９】
【課題を解決するための手段】
請求項１記載の注射器は、液筒部と、液筒部の先端に固定される注射針と、注射針を少なくとも径方向へ振動させる加振部と、加振部を支持して前記液筒部の軸方向所定領域に着脱自在に支持されるホルダとを備え、前記加振部は、直接又は他の部材を通じて前記注射針又は前記液筒部の外周面に着脱自在に当接して前記注射針を径方向へ振動させることを特徴としている。このようにすれば、上述したように従来問題となっていた注射針を振動させて痛みを低減する際の使い勝手の悪化低下を抑止することができ、実用性に優れた注射痛覚低減型注射器を実現することができる。
【００１０】
更に説明すれば、本構成では、注射時に加振部は注射器と一体化しているので、注射器を従来と同じく片手で操作することができるので操作性を向上し、注射作業に神経を集中できるので、操作の失敗を減らすことができる。  また、本発明によれば、加振部の先端を細い注射針に注射中ずっと接触し続ける必要がなく操作が容易となり、更に注射に際して注射針にセットされた加振部が邪魔になることがない。
【００１１】
また、重い加振部が注射針ではなく液筒部にセットされるために重い加振部の重量が細い注射針に作用することがない。このため、注射器を手に持った場合に注射器の重心が先端側に移行してその重心にかかる回転モ−メントに対抗して指に力を入れる必要がなく、操作性を向上することができる。
【００１２】
また、加振部を支持するホルダが液筒部に対して着脱自在となっているので、繰り返し使用が可能となり、液筒部と加振部とが一体のものに対して衛生的かつ経済的となる。また、加振なしに注射する場合にはホルダを液筒部から取り外せばよく、無加振注射を選択する場合にはホルダを外して従来のように小型軽量の注射器として用いることができる。
【００１３】
また、注射針を横振動（径方向振動）に振動させるので優れた注射痛低減効果を奏することができる。本発明者らの実験によれば注射針を縦振動させる場合に比べて横振動させる場合の方が格段に注射痛低減に有効であることがわかった。
【００１４】
加振部には従来のように振動子を採用できる。振動子としては、電歪効果や磁歪効果を有する各種振動子を採用でき、好適にはＰＺＴに代表される電歪素子が採用される。加振部は、振動子にホ−ン又は振動伝達部材や電極固定部材などを加えても構成されることができるが、ホ−ンなどを用いず単に振動子と電極部のみで加振部を構成してもよい。なお、加振面は振動子の端面に設けられる電極、又は、ホ−ンの先端面により構成されることができ、液筒部の外周面の周方向一部に押し付けられる。加振部は、注射器の液筒部に固定されるが、発振部や電源は外部に設けて加振部へケ−ブルで発振周波数の交流電流を送電してもよい。その他、発振部を液筒部に固定してもよく、発振部と電池とを液筒部に固定してもよい。これら発振部と電池とを液筒部に固定する場合、発振部や電池と加振部とは一体に形成して液筒部に固定することが好ましい。
【００１５】
なお、液筒部の径方向一方側に配置し、ホルダの弾性変形を増大させる向きに振動子が液筒部を押圧、付勢してもよく、振動子を液筒部の径方向両側に一個づつ設けて逆動作させ、これら両振動子が固定されるホルダに対し液筒部が変位するように構成してもよい。
【００１６】
請求項２記載の構成によれば請求項１記載の注射器において更に、液筒部は、樹脂製で径方向へ弾性変形可能に形成され、加振部は、液筒部とホルダとの結合部よりも軸方向へ所定距離離れた位置にて液筒部の外周面全周の一部に直接又は所定の介在部材を介して当接して液筒部を少なくとも径方向へ振動させることを特徴とする。すなわち、本構成によれば、加振部が液筒部を径方向へ付勢する場合、液筒部はホルダと液筒部との結合点を支点として所定角度範囲揺動する。この液筒部の揺動角度は、注射針の位置にて大きな注射針の径方向振幅を生じさせる。
【００１７】
これにより、加振部から注射針への振動伝達のための特別の伝達部材を注射針近傍に設ける必要がなく、注射針まわりの構造が複雑化することがなく、注射動作や注射部位の視認が阻害されることがない。また、重い加振部が液筒部の基端部寄りにセットすることができるので、注射器を手に持った場合に注射器の重心が先端側に移行してその重心にかかる回転モ−メントに対抗して指に力を入れる必要がなく、操作性を向上することができる。
【００１８】
請求項３記載の構成によれば請求項１記載の注射器において更に、ホルダに固定された加振部は液筒部に径方向へ着脱されることを特徴とする。このようにすれば、加振部に液やロッドが軸方向へ移動するための孔を設ける必要がなく、加振部の構造を簡素化することができる。また、液筒部を加振部のホルダに対して相対的に液筒部の径方向へ相対変位させて加振部を注射器へ装着することができるので、装着の際に加振部を注射針を通して液筒部に着脱する必要がないため、着脱安全性に優れる。すなわち、液筒部への加振部の装着に際して加振部を注射針を挿通させてから液筒部に装着する必要がなく、加振部装着の際に注射針により指が傷つけられることがなく、安全性を格段に向上することができる。また、注射器への加振部の着脱が格段に容易となる、
請求項４記載の構成によれば請求項３記載の注射器において更に、ホルダは、加振部の振動方向を含む平面にて液筒部に対して相対変位略不能に支持されるので、加振部の振動の反作用でホルダが液筒部と逆方向へ変位して液筒部の振幅が減少することがなく、強力な振動が得られる。
【００１９】
請求項５記載の構成によれば請求項４記載の注射器において更に、液筒部は、ホルダに装着される際に加振部をその振動方向に圧縮する向きに弾性変形し、加振部は液筒部を周期的に押圧する動作を行うので、液筒部は自己の弾性復元力で元の位置に復元する。その結果、加振部が液筒部が後退する際の付勢力を大きくする必要がなく、加振部の構造が簡素となる。特に、セラミック振動子において、引っ張り方向の付勢力より圧縮（押圧）方向の付勢力を大きくできるため、本構造の適用により大電力の振動を実現できる。
【００２０】
請求項６記載の構成によれば請求項１記載の注射器において更に、ホルダは、液筒部と加振部との間の結合部よりも液筒部の基端側に位置して液筒部を支持するので、振動の比例増幅による注射針の先端の振幅を大きくすることができる。すなわち、注射針の先端の振幅は、上記支点と注射針の先端との間の軸方向距離をＬ１、上記支点と加振部位置との間の軸方向距離をＬ２とすればＬ１／Ｌ２に増倍され、加振部の振幅を低減することができ、加振部の小型軽量化を実現することができる。更に、注射器の重心が指近傍にくるので、手持ち時に指にかかるこの重心の回転モ−メントが小さくなり、指の疲労を軽減することができる。
【００２１】
請求項７記載の構成によれば請求項６記載の注射器において更に、ホルダは、液筒部の後端径大部に達するので、液筒部に対するホルダの軸方向又は径方向への変位を低減することができる。
【００２２】
請求項８記載の構成によれば請求項７記載の注射器において更に、ホルダの後端部は指により挟持されるので、指による注射器の挟持にホルダが邪魔になることがなく、かつ、指により液筒部に対するホルダの変位を一層抑止することができる。
【００２３】
請求項９記載のによれば請求項３記載の注射器において更に、ホルダは、液筒部が径方向へ嵌合可能な凹部をもつので、液筒部を液筒部の径方向へ付勢してホルダに押し込むだけで両者を結合することができ、脱着を簡単化することができる。また、注射器に加振部を固定、解離するための締結機構などの複雑な構造を省略でき、注射器重量体格を増大することがなく、使用感を向上することができる。
【００２４】
請求項１０記載の構成によれば請求項９記載の注射器において更に、凹部の開口方向は、加振部の振動方向と略直角とされるので、振動時の液筒部の脱落を防止しつつ、上記着脱を容易とすることができる。
【００２５】
請求項１１記載の構成によれば請求項３記載の注射器において更に、ホルダは加振部を駆動する駆動回路と、駆動回路に給電する電池とを有するので、液筒部に装着された加振部からケ−ブルを外部に延々と延設する必要がなく、格段に安全性及び使い勝手を向上することができる。
【００２６】
請求項１２記載の構成によれば請求項１１記載の注射器において更に、ホルダは、注射器挟持用の指が入る孔部を有するので、多少重量が増大する注射器を誤って落とすなどの事故を低減することができる。また、孔部の周囲のホルダに指を引っかけて支持できるので、加振部などの重量による回転モ−メントに抗して注射針の姿勢維持が簡単となる。
【００２７】
請求項１３記載の構成によれば請求項３記載の注射器において更に、加振部は、一振動面が少なくとも電極部を介して液筒部の外周面の周方向全周の一部に接して液筒部を略径方向へ振動させる振動子を有し、ホルダは、振動子の他振動面を少なくとも電極部を介して支持し、振動子は共振周波数より低い周波数の交番電圧を印加されることを特徴とする。このようにすれば、振動子を共振させるために、振動子の振動方向長を増大したり、ランジュバン型にして重量増大する必要がないので、注射器重量、体格の増加を抑止することができる。
【００２８】
請求項１４記載の構成によれば請求項１記載の注射器において更に、加振部は、ホルダに支持されるソレノイドからなり、ソレノイドは、液筒部の外周面全周の一部に接して液筒部を略径方向へ振動させるプランジャを有するので、簡単かつ量産部品を用いて安価に大振幅を得ることができ、駆動回路も簡素化することができる。
【００２９】
請求項１５記載の構成によれば請求項１注射器において更に、加振部は、ホルダに固定されたモ−タと、モ−タの回転軸に駆動されて液筒部の外周面を液筒部の略径方向へ周期的に付勢するカム機構とを有することを特徴とするので、簡単な機構と簡単な駆動回路（直流モ−タではスイッチのみでよい）で効率良く大振幅を得ることができる。
【００３０】
請求項１６記載の構成によれば請求項１５記載の注射器において更に、カム機構は、モ−タの軸心との距離が一定でない外周形状を有してモータの回転軸に固定され、外周面が液筒部の外周面に当接するカムからなり、液筒部は、カムの外周面の径大部分が当接する際に液筒部を前記液筒部の径方向へ弾性変形させるので、構造を一層簡素化し、重量を軽減することができる。
【００３１】
請求項１７記載の構成によれば請求項１５記載の注射器において更に、モ−タは、液筒部の軸心に対して斜めに配置された軸心をもつので、全体を簡単かつコンパクトとすることができる。すなわち、モータ軸心を液筒部の軸方向と平行とすると、カムを大径とする必要が有り、モ−タ軸心を液筒部の軸方向と直角とすると、カム機構が複雑となる。
【００３２】
請求項１８記載の構成によれば請求項１記載の注射器において更に、加振部は、注射針の外周面に当接して液筒部を少なくとも径方向へ振動させることを特徴とする。このようにすれば、注射針を直接振動させるので、必要電力を節減でき、特に電池駆動する際にその消耗を抑止して頻繁な交換、充電を防止することができる。
【００３３】
請求項１９記載の構成によれば請求項１８記載の注射器において更に、ホルダは、液筒部に径方向へ着脱されるので、請求項３と同じ効果を奏することができる。
【００３４】
請求項２０記載の構成によれば請求項１９記載の注射器において更に、ホルダは、注射針の振動方向を含む平面と略直角方向一方側へ開口して前記液筒部が嵌合可能な凹部をもつので、請求項９と同じ効果を奏することができる。
【００３５】
請求項２１記載の構成によれば請求項２０記載の注射器において更に、凹部の開口方向は、注射針の振動方向と略直角とされるので、請求項１０と同じ効果を奏することができる。
【００３６】
請求項２２記載の構成によれば請求項１８記載の注射器において更に、加振部は、ホルダにより注射器の液筒部に保持される振動部と、基端部が振動部に、先端部が注射針に係合する伝達部とを備え、振動部は、液筒部の基端寄りにホルダに固定されることを特徴とする。このようにすれば、大重量の振動部は液筒部の基端寄りすなわち指よりに設置できるので、指に作用する注射器の重心モ−メ−ントを減らして、指の負担が減り、操作性が向上する。
【００３７】
請求項２３記載の構成によれば請求項２２記載の注射器において更に、伝達部は、ホルダに液筒部の径方向と略平行に揺動自在に支持されて、一端部が注射針を径方向加振可能に注射針に当接する揺動部と、液筒部の軸方向と略平行に延設され、基端部が振動部により液筒部の軸方向と略平行に加振され、先端が揺動部を揺動させる軸部と、軸部の基端部を振動部に弾性付勢する付勢部とを備えることを特徴とする。このようにすれば、液筒部の軸方向と平行に振動部から注射針側へ振動を伝達できるので、液筒部の先端寄りの部位の径方向必要寸法を減らすことができ、コンパクト化を実現することができる。また、付勢部を設けたので、振動部は軸部を一方向へ付勢すればよく、振動部の構造を簡素化することができる。
【００３８】
請求項２４記載の構成によれば請求項２３記載の注射器において更に、付勢部は、軸部に巻装されるので、構造をコンパクトにすることができる。
【００３９】
請求項２５記載の構成によれば請求項１９記載の注射器において更に、ホルダは、液筒部が径方向に嵌入可能な開口部を有する凹部をもち、凹部の開口方向は加振部の振動方向と略直角とされるので、請求項１０と同じ効果を奏することができる。
【００４０】
請求項２６記載の構成によれば請求項２５記載の注射器において更に、注射針が径方向へ嵌入可能な凹部をもつので、注射針と伝達部との結合を容易化することができる。
【００４１】
請求項２７記載の構成によれば請求項２６記載の注射器において更に、両凹部は、同一方向へ開口するので、装着が容易となる。
【００４２】
請求項２８記載の構成によれば請求項２５記載の注射器において更に、ホルダは、液筒部の外周面を包む略Ｃ字状の弾性部をもつので、装着が一層容易となる。
【００４３】
請求項２９記載の構成によれば請求項１８記載の注射器において更に、ホルダは、加振部を駆動する駆動回路と、駆動回路に給電する電池とを有するので、請求項１１と同じ効果を奏することができる。
【００４４】
請求項３０記載の構成によれば請求項２９記載の注射器において更に、ホルダは、注射器挟持用の指が入る孔部を有するので、請求項１２と同じ効果を奏することができる。
【００４５】
請求項３１記載の構成によれば請求項２３記載の注射器において更に、振動部はホルダに支持される振動子を有する。このようにすれば、比較的、低振動数で重量が大きい超音波振動子を指側に設けることができ、注射器をもつ指にかかる重量モ−メントを減らすことができ、使い勝手を改善することができる。また、液筒部の先端側が径大することがなく、それが注射動作の邪魔になることがない。
【００４６】
請求項３２記載の構成によれば請求項３１記載の注射器において更に、振動子は液筒部の軸方向と略平行に振動するので、振動子から伝達部への振動伝達に対してその方向を変換する必要がなく構成が簡素となる。
【００４７】
請求項３３記載の構成によれば請求項２３記載の注射器において更に、振動部は、ホルダに支持されるソレノイドを有する。このようにすれば、簡素な構成で低振動大振幅を得ることができる。また、比較的、重量が大きいソレノイドを指側に設けることができ、注射器をもつ指にかかる重量モ−メントを減らすことができ、使い勝手を改善することができる。また、液筒部の先端側が径大することがなく、それが注射動作の邪魔になることがない。
【００４８】
請求項３４記載の構成によれば請求項３３記載の注射器において更に、ソレノイドのプランジャは液筒部の軸方向と略平行に振動するので、振動子から伝達部への振動伝達に対してその方向を変換する必要がなく構成が簡素となる。また、ソレノイドは低振動数でランジュバン振動子よりも軸長を短縮でき、その分だけ、ソレノイドを液筒部の後部に偏らせることができ、一層、手持ちバランスを改善することができる。
【００４９】
請求項３５記載の構成によれば請求項２３記載の注射器において更に、振動部は、ホルダに固定されたモ−タと、モータの回転軸に固定されて伝達部を振動させるカム機構とを有する。このようにすれば、簡素な構成で低振動大振幅を得ることができる。また、比較的、重量が大きいソレノイドを指側に設けることができ、注射器をもつ指にかかる重量モ−メントを減らすことができ、使い勝手を改善することができる。また、液筒部の先端側が径大することがなく、それが注射動作の邪魔になることがない。
【００５０】
請求項３６記載の構成によれば請求項３５記載の注射器において更に、モ−タは、軸心が液筒部の軸方向と略直角方向に延設される回転軸を有し、カム機構は、回転軸に固定されたカムを有するので、構成を簡素とすることができる。また、モータは液筒部の径方向と略平行に延設されるので、重量が大きいモ−タを指側に偏らせて配置することができ、一層、手持ちバランスを改善することができる。
【００５１】
請求項３７記載の構成によれば請求項１記載の注射器において更に、前記加振部は、直接又は前記ホルダを通じて前記液筒部をその径方向に振動させる振動モータからなるので、簡素な構成で注射針をその径方向へ振動させることができる。
【００５３】
請求項３８記載の点滴器によれば、注射針と、注射針の基端部に固定された板状の把持部と、把持部に密着されて注射針の基端に連通するチュ−ブと、把持部に密着して注射針を直接又は把持部を通じて径方向へ振動させる加振部とを備える。このようにすれば、注射針を径方向へ振動させつつ皮膚に挿入することができるので、上記注射器の場合と同じく注射針挿入時の痛みを大幅に低減することができる。また、加振部は把持部に密着するので、把持部自体を振動させたり、把持部を支点としてそれに隣接する注射針を振動させることができ、注射針を良好に振動させることができる。特に後者の場合、効率良く注射針を振動させることができる。特に、点滴器の場合には注射器のように液筒部の液をロッドを操作して押し出す操作が不要となり、把持部を把握するだけであるので、加振部をこの把持部に一体に設けたり、又は、加振部を把持部の主面に着脱自在に密着させたりすることが容易となり、操作を片手で簡単に行うことができる。また、把持部が比較的大面積をもつため、加振部の設置が容易となる。
【００５４】
請求項３９記載の構成によれば請求項３８記載の点滴器において更に、加振部を支持して把持部に着脱自在に固定されるホルダを有するので、加振部を複数の点滴器で使用することができ、経済性を向上することができる。
【００５５】
請求項４０記載の構成によれば請求項３９記載の点滴器において更に、加振部は、注射針を把持部の略厚さ方向に振動させる振動体を有するので、加振部は振動方向の変換機構を必要とせず、構造が簡素となる。また、把持部を支点として弾性に優れ軽量の注射針を振動させるので効率良く注射針を振動させることができる。
【００５６】
請求項４１記載の構成によれば請求項３９記載の点滴器において更に、加振部は、注射針が嵌入する凹部を有し、凹部は注射針の振動方向と略直角方向へ開口する。このようにすれば、注射針と加振部との結合、分離を容易とすることができる。
【００５７】
請求項４２記載の構成によれば請求項３９記載の点滴器において、ホルダに収容される電池及び加振部駆動用の駆動部を有するので、電源ケ−ブルの引き回しが不要となり安全性に優れる。
【００６２】
【発明を実施するための態様】
本発明の注射器の好適な態様を以下の実施例により具体的に説明する。
【００６３】
【実施例１】
液筒部に着脱自在に加振部を装着した本発明の注射器の一実施例を図１〜図３に示す。図１はこの注射器の軸方向断面図を、図２はそのＡ−Ａ線矢視断面図を、図３はそのＢ−Ｂ線矢視断面図を示す。
（全体構造）
この注射器は、樹脂製の液筒部１、注射針２、ロッド３、加振部４、ホルダ５、電池６、駆動回路７を有する。液筒部１、注射針２、ロッド３は通常の注射器と同一構成であるのでその説明を省略する。
【００６４】
液筒部１の後端開口から円筒状のロッド３を押し込むことにより、液筒部１内に充填された薬液を注射針２から押し出したり、あるいは、液筒部１内に体液を吸い込んだりする周知の動作が行われる。
【００６５】
ホルダ５は、透明硬質樹脂を成形してなり、全体として左右方向に薄い平箱形状に形成されている。ホルダ５の下部は、電池６を収容するキャビティとその上の駆動回路を収容するキャビティを有する。ホルダ５の上部は、加振部４を収容する前端開口の加振部用凹部５１を前部に、中指が左右に挿通する指貫通孔５２を後部に有し、更に、貫通孔５２の上部に液筒部１が液筒部用凹部５３を有している。
【００６６】
液筒部用凹部５３は、図３に示すように、前方からみて右方へ開口しており、内部に液筒部１の基端部が押し込まれている。液筒部用凹部５３の後端に位置して、液筒部１の後端径大部を包む指止め用径大部５４が設けられている。液筒部用凹部５３より前方では、液筒部１はホルダ５の上面に載置され、加振部用凹部５１とホルダ５の上面との間の天板部５５及び両側壁部５６は薄く、弾性変形容易となっている。
【００６７】
加振部用凹部５１の底面には電極部４２が、天板部５５の下面には電極部４４が延設されている。電極部４２、４４は、インサ−ト樹脂成形によりホルダ５と一体に形成され、それらの先端は図示省略するが駆動回路７に達して駆動回路７から給電されている。電極部４４は加振部用凹部５１内で独立かつ斜めに垂下する斜め部４４０を有し、斜め部４４０は、天板部５５の上下方向への後端支持弾性変形に追従して容易に弾性変形可能となっている。
【００６８】
５０は、本発明で言う加振部をなす円柱状の振動子であり、ＰＺＴよりなる。振動子５０は電極部４２、４４により上下に挟持されている。電極部４２、４４に電圧を印加しない状態で天板部５５は僅かに上方に弾性変形して電極部４４が振動子５０を電極部４２へ向けて押さえつけることが好ましい。
【００６９】
駆動回路７は、過渡時のみ電流を流すコンプリメンタリ型の出力段を有することが好ましく、また、振動子５０と並列にそれと振動子５０の共振周波数で共振するリアクタンス素子を設けてもよい。
（動作）
液筒部１をホルダ５の液筒部用凹部５３に嵌めこむ。この時、液筒部１は振動子５０を圧縮する方向に弾性変形し、これにより振動子５０には圧縮方向へバイアス力が加えられる。図示しないスイッチを入れて電池６から駆動回路７に給電し、駆動回路７から共振周波数の矩形波電圧を電極部４２、４４に通電すると、振動子５０が上下方向に振動する。すなわち、振動子５０が上方に寸法増大すると、液筒部１は更に上方へ弾性変形し、注射針は上方へ振れる。振動子５０が下方に寸法縮小すると、液筒部１は自己の弾性変形回復力で下方に振れ、注射針は下方に振れる。
【００７０】
この実施例では、重量軽減のために振動子５０の振動方向寸法を短縮しており、かつ消費電力を低減するために振動周波数は１０００Ｈｚ程度としているので、振動子５０はその機械的共振周波数未満でいわば小振動リニアアクチエ−タとして振動する。
【００７１】
しかし、液筒部１の径方向振動は、図１におけるＳ点、すなわち液筒部１が嵌入するホルダ５の凹部５３の前端を支点として行われ、ホルダ５の上下方向弾性変形を無視すれば液筒部１のＢ点、すなわち振動子５０の後端と液筒部１との当接点の上下方向振幅は振動子５０の振幅に等しくなるので、注射針２の弾性変形を無視すれば注射針２の振幅は、注射針２の先端と支点Ｓとの間の距離Ｌ１を、点Ｂと点Ｓとの間の距離Ｌ２で割った値だけ比例増倍される。
【００７２】
なお、この実施例では、振動子５０としてＰＺＴ素子を用いている。ＰＺＴ素子はセラミック焼結により作製されるため大きな内部引っ張り応力を掛けるべきでない。そこで、この実施例では振動子５０の部位で振動子５０が液筒部１を下方に付勢しないようにしている。これにより加振部４と液筒部１との結合構造及び結合動作を簡素化している。すなわち、この部位において、液筒部１は薄く容易に上下に弾性変形するホルダ５の天板部５５の上に単に載置されているだけである。
【００７３】
液筒部１を下方へ付勢するために、この実施例では、液筒部１をホルダ５の凹部５３に嵌合する際、液筒部１の点Ｂの部位が上方に少し弾性変形してホルダ５の上板部５５の上に乗り上げるようにしている。これにより、振動子５０の内部には常時圧縮応力が発生し、振動子５０の駆動時の破損を防止することができる。
【００７４】
この状態で、皮膚に注射針２を刺入し、ロッド３を押して注射を行う。
【００７５】
駆動回路７の出力電圧波形は矩形波に限られることなく、鋸波、三角波などでもよいことはもちろんである。ただし、矩形波電圧を採用すると、その電圧変化時のみ電流を流し、電圧一定時には電流を遮断する回路形式の増幅器を発振回路の出力段として採用することができ、電池寿命を延長できる点で好都合である。
【００７６】
振動子４０は、所定厚さの円盤形状を有しており、公知の如くセラミック焼結法により形成されている。振動子４０の振動面に電極層をスパッタなどで被着してもよい。なお、振動周波数は、図１における液筒部１の機械的共振周波数に一致させることが好ましい。
【００７７】
この実施例では、電池６や振動子５０に掛かる重力により、中指が左右に挿通する指貫通孔５２を支点としてホルダ５に下方への回転モ−メントが生じる。しかし、ホルダ５は指止め用径大部５４や指貫通孔５２の部位が指に当接するため、指は容易にこの回転モ−メント（重力モ−メントともいう）に対抗することができ、操作性悪化を抑止することができる。
（変形態様）
図１において、振動子５０をたとえばランジュバン振動子に置換することができる。この場合、振動子５０は液筒部１の下方へ長く延設されるが、ホルダ５が元々、この方向に長く延設されているので容易にホルダ５内に収容することができる。
【００７８】
【実施例２】
液筒部に着脱自在に加振部を装着した本発明の注射器の一実施例を図４に示す。図４はこの注射器の要部軸方向断面図である。
【００７９】
この実施例は、実施例１におけるホルダ５の加振部用凹部５１を上方（液筒部１の径方向）へ開口し、内部にソレノイド８を嵌めこんだものである。
【００８０】
本発明でいう加振部をなすソレノイド８は上部にプランジャ８０の先端部を有している。このプランジャ８０は周知のようにソレノイド８に通電すると上方へ飛び出し、通電を遮断すると内部のスプリングにより内部に引っ込む。
（動作）
液筒部１をホルダ５の液筒部用凹部５３に嵌めこむ。この時、液筒部１をプランジャ８０を押し下げる方向に弾性変形させる。図示しないスイッチを入れて電池６から駆動回路７に給電し、駆動回路７から共振周波数でソレノイド通電電流を断続すると、プランジャ８０が上下方向に振動する。これにより、プランジャ８０が上方に突出すると、液筒部１は更に上方へ弾性変形し、注射針は上方へ振れる。プランジャ８０が下方に引っ込むと、液筒部１は自己の弾性変形回復力で下方に振れ、注射針は下方に振れる。
【００８１】
この状態で、皮膚に注射針２を刺入し、ロッド３を押して注射を行う。
【００８２】
なお、振動周波数は、図４における液筒部１の機械的共振周波数に一致させることが好ましい。振動周波数はたとえば３０−１０００Ｈｚ、好ましくは５０−４００Ｈｚとされる。
【００８３】
【実施例３】
液筒部に着脱自在に加振部を装着した本発明の注射器の一実施例を図５に示す。図５はこの注射器の軸方向断面図である。
【００８４】
この実施例は、実施例２におけるホルダ５の加振部用凹部５１を前上方へ開口し、内部にカム板９０付きのマイクロモ−タ９を嵌めこんだものである。
【００８５】
本発明でいう加振部をなすカム板９０付きのマイクロモ−タ９は、斜め上方に突出する回転軸９２を有し、この回転軸９２にカム板９０が固定されている。カム板９０は、液筒部１の外周面に密接する円錐面９４を有している。この円錐面９４は、所定角度ピッチで径が変化する形状いわゆるカム面となっている。
【００８６】
なお、マイクロモ−タ９として直流モ−タを採用することにより実施例１の駆動回路７すなわち発振回路を省略することができ、回路コスト、その収容スペ−ス及び電力損失を節約することができるる。
（動作）
液筒部１をホルダ５の液筒部用凹部５３に嵌めこむ。この時、液筒部１はカム板９０により上方へ弾性変形される。図示しないスイッチを入れて電池６から直流モ−タであるマイクロモ−タ９に通電すると、カム板９０が液筒部１を上下に振動させる。これにより、カム板９０の径大部分が液筒部１に当接すると、液筒部１は更に上方へ弾性変形し、注射針は上方へ振れる。カム板９０の径小部分が液筒部１に当接すると、液筒部１は自己の弾性変形復元力により下方に振れ、注射針は下方に振れる。
【００８７】
この状態で、皮膚に注射針２を刺入し、ロッド３を押して注射を行う。この実施例では、電池６は、指貫通孔５２の直下や近傍に配設されるため、中指が負担する注射器の重心モ−メントを低減でき、操作性に優れた形状となっている。
（変形態様）
カム機構として他の種類のものを採用することもできる。たとえば、図６に示すように、モ−タ９の軸心を上下方向とし、カム９０のカム面を略円盤面とし、このカム面の外周部に液筒部１１の外周面に向けて突出する突起９００を設ける。このようにすれば、この突起９００は液筒部１に周期的に当接してそれを上方へ付勢する。突起９００は奇数個一定ピッチで設けることが好ましい。
【００８８】
【実施例４】
液筒部に着脱自在に加振部を装着した本発明の注射器の一実施例を図７に示す。図７はこの注射器の軸方向断面図である。この実施例は、実施例３において、加振部４が液筒部１を下方向だけでなく、上方向にも付勢するようにしたものである。
【００８９】
ホルダ５は液筒部１の基端部に設けられ、その下方に垂下する部分にランジュバン振動子４０が上下方向振動自在に収容されている。ランジュバン振動子４０の下端には剛性を有する長板状の伝達部４２の基端が締結あるいは接合されている。伝達部４２は、ランジュバン振動子４０の下端から前方かつ上方へ延設され、その先端部は、液筒部１の先端部に結合している。伝達部４２の先端部は、図８に示すように右方向に開口する開口部Ｄをもつ凹部４２０を有し、凹部４２０に液筒部１の中央部が上記開口部Ｄから嵌入されている。凹部４２０はホルダ５の液筒部用凹部５３と同一方向に開口している。振動子４０を上下に振動させることにより、液筒部１の点Ｂは点Ｃを中心として上下に振動する。もちろん、ホルダ５は振動子４０と平行に駆動回路７や電池６を収容することができる。
【００９０】
【実施例５】
液筒部に着脱自在に加振部により注射針を直接振動させる構造を有する実施例を図９に示す。図９はこの注射器の一部破断側面図を示す。ただし、本明細書では各実施例において主要機能が共通する構成要素には同一符号を付す場合もある。
（全体構造）
この注射器は、液筒部１、注射針２、ロッド３、加振部４、ホルダ５からなる。
【００９１】
ホルダ５は、図５に示す実施例と基本的に同じであるが、マイクロモ−タ９の軸心は上下方向に設定され、電池６も上下方向に収容されている。
【００９２】
ホルダ５は、その液筒部用凹部５３の前方へ突出する突出部５４を有し、突出部５４の先端部５６は図８と同様に、液筒部用凹部５３と同一方向に開口する凹部５５を有している。ホルダ５のＤ−Ｄ線矢視断面図を図１０に、Ｅ−Ｅ線矢視断面図を図１１ａに示す。
【００９３】
加振部４は、マイクロモ−タ９、カム９０、長棒状の伝達棒９２０、揺動部９３０、枢支ピン９４０、コイルスプリング９５０を有し、伝達棒９２０、揺動部９３０、枢支ピン９４０、コイルスプリング９５０は伝達部を構成している。
【００９４】
カム９０は図１１ｂに示すように、非円形の外周面を有し、伝達部９２０は、伝達棒９２０の基端部９２２に当接している。基端部９２２は図１１ｂに示すように、カム９０から所定距離離れてその外周を約半周囲んで湾曲している。伝達棒９２０はホルダ５からホルダ５の突出部５４の下面に沿って軸方向進退自在に突出しており、その先端部は、揺動部９３０の駆動片部９３２に結合している。
【００９５】
揺動部９３０の中央部は、先端部５６の凹部５５の底部に当たる側壁部外側に隣接して、この側壁部に枢支ピン９４０により上下方向へ揺動自在に支承されている。
【００９６】
揺動部９３０は、上記中央部から下方に突出する付勢片部９３２と上記中央部から前方に突出する駆動片部９３４とを有している。付勢片部９３４は、図１１に示すように凹部５３、５５と同じく右方へ開口する凹部９３６を有し、この凹部９３６に注射針２の基端部が着脱自在に嵌入している。伝達棒９２０は駆動片部９３２の孔に貫通しているが、両者を単に溶接などで一体化してもよい。
（液筒部１の着脱）
液筒部１は、上記した他の実施例同様右方から凹部５３、５５に押し込まれ、同時に注射針２が凹部９３６に押し込まれる。
（注射針２の加振）
コイルスプリング９５０は、付勢片ｂ９５２を、図９中時計方向に付勢し、これにより伝達棒９２０の基端部はカム９０に押し付けられている。
【００９７】
モ−タ９を回転すると、カム９０の回転により伝達棒９２０が前後に振動し、揺動部９３０の付勢端部９３２を揺動させる。これにより、揺動部９３０の駆動端部９３４は前後に振動し、注射針２を径方向へ振動させる。
（変形態様）
図１２に変形態様を示す。この変形態様は、図９におけるモータ９及びカムをソレノイド８に置換したものであり、ソレノイド８のプランジャ８０が伝達棒９２０の基端部を前後に振動させる。
【００９８】
【実施例６】
本発明の点滴器の一実施例を図１３、図１４を参照して以下に説明する。図１３は加振部２００を装着しない場合の点滴器の要部平面図を、図１５は加振部２００を装着した場合の点滴器の要部縦断面図を示す。ただし、上記各実施例と主要機能が共通する構成要素には同一符号を付す場合もある。
（全体構造）
この点滴器は、把持部１１、注射針２、加振部４、ホルダ５を有している。
【００９９】
把持部１１は樹脂製円盤からなり、注射針２の基端部は把持部１１に固定され、把持部１１内にて薬液チュ−ブ１２の先端に接続されている。注射針２、把持部１１及び薬液チュ−ブ１２は通常の点滴器を構成し、薬液チュ−ブ１２は図示しない薬液タンクに連通している。ホルダ５は、下面が把持部１１の上面に密接する略円盤形状を有している。ホルダ５内には、加振部４、駆動回路７及び電池６が収容されている。加振部４は、この実施例ではソレノイド８と、ソレノイド８の下向きのプランジャ８０の先端に固定された付勢端部８２とからなる。
【０１００】
付勢端部８２は、注射針２の基端部に着脱自在に結合されている。付勢端部８２の径方向断面形状は図１１とほぼ同じであり、注射針２は付勢端部８２の左方向に開口する凹部８２０に嵌入している。もちろん、加振部４をいままで説明した各加振部に置換することも可能である。ソレノイド８の振動周波数は注射針２の機械的共振周波数と一致させることが好ましい。
（注射針２の加振）
ホルダ５に設けた図示しないスイッチをオンすることにより、駆動回路７が発振し、ソレノイド８のプランジャ８０が注射針２を上下に振動させる。注射針２は、把持部１１と注射針２の基端とを支点とし、注射針２と付勢端部８２との結合点で付勢端部８２の振幅で振動する。その結果、注射針２の振幅は比例増倍される。
【０１０１】
【実施例７】
本発明の注射部位押さえ具一実施例を図１５、図１６を参照して以下に説明する。図１５はこの注射部位押さえ具の平面図を、Ｆ−Ｆ線破断側面図を示す。
（構成）
この注射部位押さえ具は、押さえ部９１、ア−ム部９２、グリップ部９３を備えている。
【０１０２】
押さえ部９１は、リング形状を有し、注射部位周辺の形状に合わせて多少変形可能な弾性を有する。ア−ム部９２は、押さえ部９１の所定部位から押さえ部９１の径方向及び軸方向に対して斜めに突出する長棒形状に形成され、ア−ム部９２の先端に把握容易なように径大に形成されたグリップ部９３が設けられている。
【０１０３】
これら押さえ部９１、ア−ム部９２、グリップ部９３は樹脂成形により一体に形成されており、製造コストを低減している。これにより、使い捨てが可能となり、たとえ注射作業によりこの注射部位押さえ具に薬液や体液が付着したとしても、その洗浄を必要としない。
【０１０４】
押さえ部９１の内径は１０ｍｍ程度あれば注射針を注射部位に刺入するのに支障がなく、かえって注射点を明瞭に支持することができるので、好適である。リング部に図１６に示すように、中心点を示すための案内線を設けると、より中心点への注射が容易となる。
（動作）
グリップ部９３を持って押さえ部９１を注射部位の周囲に押さえつけると、この注射部位の皮膚１０００が固定される。その後、押さえ部９１の中心に注射針を刺入するとき、押さえ部９１が注射針の周囲の皮膚が注射針の刺入により変位するのが防止され、この皮膚の変位に応じて皮膚中の痛点に刺激が与えられるのを低減することができる。その結果、痛点から痛覚に相当する信号が発生するのが防止される。
【０１０５】
【実施例８】
本発明の注射部位押さえ具の他実施例を図１７〜図２０を参照して以下に説明する。図１７はこの注射部位押さえ具の平面図を、図１８はそのＧ−Ｇ線矢視断面図を示す。
（構成）
この注射部位押さえ具は、押さえ部９１、ア−ム部９２、グリップ部９３をもつ半鋏部２０００を一対有する。両半鋏部２０００は、押さえ部９１とア−ム部９２との結合部近傍で互いに回動自在に結合されている。ただし、この注射部位押さえ具は、通常の鋏とは逆に両グリップ部９３を握り締めると、両押さえ部９１は互いに離れる向きに回動する逆鋏形状となっている。すなわち、両グリップ部９３を握り締めることにより互いに向かい合った両押さえ部９１が互いに離れる向きに回動し、これにより両押さえ部９１は接触する皮膚を互いに逆むきに引っ張るので、注射針の刺入に伴う皮膚の移動を抑止することができ、更にその上、皮膚が広がるために注射部位近傍における皮膚の痛点密度が減少し、一層、痛みを低減することができる。ア−ム部９２は図１８に示すように、皮膚から離れる方向に斜めに延設されている。これら一つの押さえ部９１、一つのア−ム部９２、一つのグリップ部９３は樹脂成形により一体に形成されて半鋏２０００をなす。図１９に示すように、これら半鋏２０００の一方には押さえ部９１の基端部において軸部２０００１が上向きに突設され、他方の半鋏２０００には軸部２０００１が回動自在に嵌入する凹部２００２が形成されている。
【０１０６】
図１７に示す２００３は、一方のア−ム部９３に設けられ弾性突起部であり、この弾性突起部２００３は相手側のア−ム部９３に当接して一対の押さえ部９１を閉じる方向に付勢している。弾性突起部２００３は必須ではなく、省略可能である。
【０１０７】
軸部２００１をできるだけ押さえ部９１の基端部に近接して配設し、一対の押さえ部９１の基端部はそれぞれ軸部２００１から略反対方向へ延設されることが好ましい。一対の押さえ部９１の基端部は互いの延設方向間に大きな角度を有することが好ましい。このようにすれば、押さえ部９１により皮膚を引っ張る場合に、両押さえ部９１の基端部は、図２０に示すように、両押さえ部９１の先端部の皮膚引っ張り方向と異なる方向へ皮膚を引っ張ることができ、注射予定点の皮膚を広げる効果が生じる。ｍは注射点である。
（動作）
グリップ部９３を握って両押さえ部９１で注射部位の周囲に押さえつつ、グリップ部９３を更に握り締めると、両押さえ部９１は回動し、注射部位の皮膚を広げ、かつ、固定する。これにより、注射部位における単位表面積当たりの痛点密度が減少し、かつ、皮膚の変位が規制される。
【０１０８】
その後、押さえ部９１により広げられ、固定された皮膚の注射予定点に注射針を刺入すると、注射針２の周囲の皮膚が注射針の刺入により変位するのが防止され、かつ、注射針と痛点との間の平均距離が増大し、痛点への物理的刺激量が減り、注射痛が低減される。
（可聴帯域の低振動数の選択）
加振部にＰＺＴ振動子を用い、振幅一定で注射針２を直接振動させつつ注射を行った場合の痛みと周波数との関係を説明する。振動電力は等しくした。評価は男女各５人で行った平均値である。結果を以下に示す。痛みなしを０とし、ほんの少し痛いを１、少し痛いを２、普通に痛い（注射針を振動させない場合）を３とした。その結果、３０Ｈｚ及び４００Ｈｚでは平均評価値は２であった。１５０Ｈｚでは平均評価値は１であった。２０ｋＨｚでは平均評価値は２であった。
【０１０９】
上記結果から、注射針２の振動による注射痛覚低減において、超音波帯域で注射針を振動させるよりも格段に低い周波数３０〜４００Ｈｚ程度で振動させるのがより有効であることがわかった。また、２０ｋＨｚといった超音波振動では注射針と皮膚との摩擦発熱が増大して熱感が生じ、電力ロスが大きいという問題が有ることがわかった。更に、液筒部１を強力に加振する場合、振動電力を増大すると超音波帯域（１５０００Ｈｚ以上）では液筒部１内でキャビテ−ションにより気泡が生じるという問題が派生することがわかった。
【０１１０】
【実施例９】
本発明の注射針の一例を図２１に示す。図２１は注射針の側面図である。
【０１１１】
この注射針２は、その先端部のみ約２ｃｍだけ銀めっきされている。めっき膜３０００の厚さは１〜１０μｍでよい。銀の抗菌効果により、注射針の先端部が衛生状態が改善されるとともに、めっきによる注射針表面の平滑度が向上して注射痛が軽減される。銀の代わりに二酸化チタン膜を形成してもよい。この膜はチタン膜をメッキ後、それを酸化して形成される。紫外線を常時又は定期的に又は必要に応じて照射することにより殺菌効果を奏するとともに注射針表面の平滑度が向上して注射痛が軽減される。
【０１１２】
【実施例１０】
振動モータからなる加振部を液筒部に着脱自在に装着した本発明の注射器の一実施例を図２２に示す。
【０１１３】
４０００は振動ユニットであり、一端が開口された円筒状のケース４００１をもち、ケース４００１は、後述のホルダ４００２とともに樹脂により成形されており、使い捨てとなっている。場合によっては液筒部１と一体成形してもよい。ケース４００１は、液筒部１の側面に接しつつ液筒部１と平行に延設されている。ケース４００１から液筒部１を囲むように径方向断面が略Ｃ字形状の樹脂ホルダ４００２が突設されており、液筒部１はケース４００１と樹脂ホルダ４００２とにより挟持されている。ケース４００１の円筒状の凹部には超小型の振動モータ（直径５ｍｍ、長さ１２〜１８ｍｍ）５００と電池６００とが収容され、両者の間にはコイルばね（図示せず）が介設されている。４００３はケース４００１の円筒状の凹部の開口を閉鎖する蓋部であり、凹部に振動モータ５００と電池６００とを収容した後、凹部の開口に螺入されて振動モータ５００と電池６００とが外部へ離脱するのを防止している。また、蓋部４００３を凹部に深くねじ込むと、上記コイルばねが圧縮されて、振動モータ５００の＋入力端子（図示せず）と電池６００の正極ターミナルとが接触して振動モータ５００が振動するようになっている。振動モータ５００が振動すると、その衝撃により液筒部１は二本の指で支承されるその基端部を振動中心として液筒部１の径方向に振動し、注射針２が振動する。
【図面の簡単な説明】
【図１】実施例１の注射器の要部軸方向断面図である。
【図２】図１の注射器のＡ−Ａ線矢視断面図である。
【図３】図１の注射器のＢ−Ｂ線矢視断面図である。
【図４】実施例２の注射器の要部軸方向部分断面図である。
【図５】実施例３の注射器の液筒部の軸方向断面図である。
【図６】図５の変形態様を示す要部軸方向側面図である。
【図７】実施例４の注射器の軸方向断面図である。
【図８】図７のＣ−Ｃ線矢視断面図である。
【図９】実施例５の注射器の液筒部の軸方向断面図である。
【図１０】図９のＤ−Ｄ線矢視断面図である。
【図１１】ａは図１の注射器のＥ−Ｅ線矢視断面図であり、ｂは図１の注射器のカム近傍を示す説明図である。
【図１２】図９の変形態様を示す要部軸方向断面図である。
【図１３】実施例６の点滴器の平面図である。
【図１４】図１３の要部破断軸方向側面図である。
【図１５】実施例７の注射部位押さえ具の平面図である。
【図１６】図１４の注射部位押さえ具の要部破断軸方向側面図である。
【図１７】実施例８の注射部位押さえ具の平面図である。
【図１８】図１７の注射部位押さえ具のＧ−Ｇ線矢視断面図を示す。
【図１９】図８の注射部位押さえ具の軸部拡大軸方向断面図である。
【図２０】図８の注射部位押さえ具による皮膚引っ張り方向を示す模式説明図である。
【図２１】実施例９の注射針の側面図である。
【図２２】実施例１０の注射器の側面図である。
【符号の説明】
１は液筒部、２は注射針、３はロッド、４は加振部、５はホルダ
【図１】
0004616444.tif 000002
【図２】
0004616444.tif 000003
【図３】
0004616444.tif 000004
【図４】
0004616444.tif 000005
【図５】
0004616444.tif 000006
【図６】
0004616444.tif 000007
【図７】
0004616444.tif 000008
【図８】
0004616444.tif 000009
【図９】
0004616444.tif 000010
【図１０】
0004616444.tif 000011
【図１１】
0004616444.tif 000012
【図１２】
0004616444.tif 000013
【図１３】
0004616444.tif 000014
【図１４】
0004616444.tif 000015
【図１５】
0004616444.tif 000016
【図１６】
0004616444.tif 000017
【図１７】
0004616444.tif 000018
【図１８】
0004616444.tif 000019
【図１９】
0004616444.tif 000020
【図２０】
0004616444.tif 000021
【図２１】
0004616444.tif 000022
【図２２】
0004616444.tif 000023